(57)【特許請求の範囲】
【請求項１】
ケースから突出させた上刃と下刃を重ね合わせてレシプロ運動をさせるバリカン刈刃において、ケースの入口に凹形ポケットを形成するとともに、この凹形ポケットに、Ｕ形をしている中央部と、中央部の両側上端から水平に延びる水平部と、水平部の両端からケースの外方と内方に向かって上り勾配で続く勾配部と、勾配部の先端に形成されたエッジとからなるシールプレートの上記中央部を装填し、エッジを下刃の下面に弾性押圧させたことを特徴とするバリカン刈刃のシール構造。
【請求項２】
水平部の端部から上刃と下刃の両側面に沿う起立部を突出させた請求項１のバリカン刈刃のシール構造。
【発明の詳細な説明】
【０００１】
【発明の属する技術分野】
本発明は、草刈機や茎刈機等に適用されるバリカン刈刃のシール構造に関するものである。
【０００２】
【従来の技術】
バリカン刈刃の場合、上刃と下刃の摺動面の潤滑を図るため、両刃を支持するケースにグリスニップル等を取り付け、これから両刃の合わせ面にグリスを供給している。供給されたグリスは、両刃の合わせ面だけでなく、上刃の上面や下刃の下面にも廻り込み、表面を伝わってケース外に漏れ出ようとする。この場合、上刃は、その上面に刃押えが添わされているから、それほどでもないが、下刃は、下位に設けられていることと、露出したままであるので、下刃からの漏出は避けられないものとなっていた。
【０００３】
【発明が解決しようとする課題】
このため、適当なシール構造が要求されるが、レシプロ運動をするバリカン刈刃の構造上、これといった効果的な方法はない。只、フェルト等をここに詰め込んだものも見られるが、長時間使用すると、グリスの浸透によって劣化してしまい、役に立たない。又、反対にこの部分は、刈り取った草茎の屑（ゴミ）が浸入する個所でもあることから、この浸入防止も図らなければならない。
本発明は、このような課題を解決するものであり、グリス漏れとゴミ浸入を効果的に防ぐシール構造を提供するものである。
【０００４】
【課題を解決するための手段】
以上の課題の下、本発明は、請求項１に記載した、ケースから突出させた上刃と下刃を重ね合わせてレシプロ運動をさせるバリカン刈刃において、ケースの入口に凹形ポケットを形成するとともに、この凹形ポケットに、Ｕ形をしている中央部と、中央部の両側上端から水平に延びる水平部と、水平部の両端からケースの外方と内方に向かって上り勾配で続く勾配部と、勾配部の先端に形成されたエッジとからなるシールプレートの上記中央部を装填し、エッジを下刃の下面に弾性押圧させたことを特徴とするバリカン刈刃のシール構造を提供する。
【０００５】
以上のシール構造によれば、シール部材は、下刃の下面に弾性的に押圧するプレート体で構成されるから、密着効果が高く、シール性に優れ、且つ、耐久性の高いものとなる。そして、ケースの本体部に凹形ポケットを形成し、凹形ポケットにシールプレートを装填するものであるから、特別の固定構造を必要としないで、シールプレートを固定できる。さらに、シールプレートが、ケースの外方と内方に向かう上り傾斜でもって下刃に当接するエッジを有することから、入口側のエッジはゴミの浸入を防ぎ、中側のエッジはグリスの漏出を防ぐから、一挙両得の効果を果たす。
【０００６】
【発明の実施の形態】
以下、本発明の実施の形態を図面を参照して説明する。図３は本発明の一例を示すバリカン刈刃の一部縦断面図、図４は一部平面図、図５は一部平面図（後述するケースの蓋体と刃押えを外したもの）、図６は図３のＡ−Ａ断面図であるが、バリカン刈刃は、作業者が手で持って操作する斜め下方に延びる操作杆１０と、操作杆１０の下端に略水平に連結されるケース１２と、ケース１２からこれと平行に突出する上刃１４及び下刃１６等から構成される。
【０００７】
本例におけるケース１２は、下方の本体部１２ａと上方の蓋体１２ｂとが合わさってケース体を形成している。又、上刃１４及び下刃１６の両側面には、前後面に刃部が形成された平面視山形のバリカン部１４ａ、１６ａが突設されている。尚、刃部の形成は、上刃１４は上面に、下刃１６は下面に形成されており、合わせ面は真直になっている。
【０００８】
ケース１２の内部の基部側にはギア軸１８が縦設されており、このギア軸１８の上部にはベベルギア２０が、下部にはピニオン２２がそれぞれ固嵌されている。ピニオン２２は、ケース１２の中程に縦設されるクランク軸２４に嵌合されたクランクギア２６と噛み合っている。クランクギア２６の表裏面には、偏心方向を正反対とする円板カム２８、３０が一体又は別体で装設されており、円板カム２８、３０には、それぞれクランクロッド３２、３４がニードルベアリング３６等を介して嵌合されている。
【０００９】
上刃１４と下刃１６とは重ね合わされた状態でその基端側がケース１２内に突入されており、ケース１２にネジ等３８で止め付けられる刃押え４０を上刃１４の上に重ねている。上刃１４と下刃１６には、適当間隔をあけて長手方向の長孔４２、４４が形成されており、取付ボルト４６を下刃１６の下面から長孔４２、４４の幅よりも大きな径を有する座金４８を当てて両長孔４４、４２を通して上刃１４の上面まで突出させ、ナット５０で締結している。これにより、上刃１４と下刃１６は、レシプロ運動が許容されるものとなる。
【００１０】
ケース１２の基部には、操作杆１０を突入させる基筒部５２が形成されており、この基筒部５２には、前記したベベルギア２０と噛み合うベベルギア５４が設けられている。操作杆１０の後端には原動機が取り付けられており（図示省略）、これを駆動原とする駆動軸５６が操作杆１０中を延びてベベルギア５４に固嵌されている。そこで、前記したクランクロッド３２、３４の他端を上刃１４と下刃１６の基端にピン５８、６０で枢着しておくと、駆動軸５６の回転力は、クランクギア２６（円板カム２８、３０）を介してクランクロッド３２、３４をクランク運動させ、上刃１４と下刃１６とを互いに反対方向に往復摺動させるレシプロ運動させるものとなる。
【００１１】
本発明は、以上のケース１２の入口近くに、下刃１６の下面に弾性押圧するシールプレート６２を設けたものである。このシールプレート６２は、下刃１６の下面に弾性押圧するものであれば、どのような形状のものでもよい。図１はこのシールプレートの一例を示す側面断面図、図２は平面図であるが、このシールプレート６２は、ばね鋼等（弾性材）で構成される板ばねであり、側面視で、Ｕ形をしている中央部６２ａと、中央部６２ａの両側から水平に延びる水平部６２ｂと、水平部６２ｂの端から上り勾配で続く勾配部６２ｃとを有するものである。
【００１２】
この場合、ケース１２の本体部１２ａの入口近くの底部には、リブ等で囲まれる凹形ポケット１２ａａが形成されており、中央部６２ａをこの凹形ポケット１２ａａの前後長さに設定してここに嵌め込めば、特別の固定構造等をとらなくても、長手方向のずれを防止できる。シールプレート６２を凹形ポケット１２ａａに装填したとき、水平部６２ｂと下刃１６の下面とは若干の隙間を有し、勾配部６２ｃの先端がエッジ６４を形成して下刃１６の下面に弾性的に押圧するものとなる。
【００１３】
加えて、水平部６２ｂからは、上刃１４と下刃１６の両側面に沿う起立部６２ｄが設けられており、下刃１６等に対して短手方向にも位置がずれないようにしてある。又、エッジ６４の幅と下刃１６の幅とはほぼ同じにしてあるし、入口側のエッジ６４の位置はケース１２の外端面とほぼ同じ位置にしてある。
【００１４】
以上により、下刃１６の下面にはシールプレート６２の内外二つのエッジ６４が弾性押圧していることになる。従って、刈取作業に伴って上刃１４と下刃１６がレシプロ運動をした場合、中側のエッジ６４は、ケース１２の適所に設けられたグリスニップル６６等から供給されるグリスが下刃１６の下面を伝わってケース１２外へ漏出しようとするのを掻き戻すし、入口側のエッジ６４は、外部のゴミが下刃１６の下面とケース１２の隙間からケース１２内へ浸入しようとするのを掻き出す。
【００１５】
【発明の効果】
以上、本発明によれば、シール部材は下刃の下面に弾性的に押圧するプレート体で構成されるから、密着効果が高く、シール性に優れ、且つ、耐久性のあるものとなる。又、シールプレートに内外二つのエッジを形成してこれを下刃の下面に当てると、入口側のエッジはゴミの浸入を防ぎ、中側のエッジはグリスの漏出を防ぐから、一挙両得の効果を果たす。
【図面の簡単な説明】
【図１】本発明の一例を示すシールプレートの側面断面図である。
【図２】本発明の一例を示すシールプレートの平面図である。
【図３】本発明の一例を示すバリカン刈刃の一部縦断面図である。
【図４】本発明の一例を示すバリカン刈刃の一部平面図である。
【図５】本発明の一例を示すバリカン刈刃の蓋体を外した一部平面図である。
【図６】図３のＡ−Ａ断面図である。
【符号の説明】
１２      ケース
１２ａ    ケースの本体部
１２ａａ  ケースの本体部に形成される凹形ポケット
１４      上刃
１６      下刃
６２      シールプレート
６４      エッジ
【図１】
0004082534.tif 000002
【図２】
0004082534.tif 000003
【図３】
0004082534.tif 000004
【図４】
0004082534.tif 000005
【図５】
0004082534.tif 000006
【図６】
0004082534.tif 000007